(57)【要約】【課題】本発明は、簡単な構成により、異なるサイズや変形しやすい容器であっても、適切に保持することができる容器保持具を提供する。【解決手段】容器保持具１は、容器９０を保持するホルダ２と、ホルダ２を支持構造体９に取り付けるための取付部材３とを備える。ホルダ２は、可撓性を有し、かつ所定の形状に戻ろうとする素材で成るベルト状部材１０を備え、ベルト状部材１０は、その両端部に、両端部が互いに重なり合うように係合されることにより環状とされる係合部２０を有する。係合部２０は、互いの係合長を調整自在で、かつ所定の係合長で固定可能に構成されている。係合長を調整して環状開口の大きさを変更できるのでサイズの異なる容器に対応でき、また、ベルト状部材で容器を保持するので、容器重量に応じた抗力によって容器外周を保持でき、変形しやすい容器であっても適切に保持できる。【選択図】図１
2019085036.tif 000002
【特許請求の範囲】
【請求項１】
容器を保持するホルダと、前記ホルダを支持構造体に取り付けるための取付部材とを備えた容器保持具において、
前記ホルダは、可撓性を有する素材で成るベルト状部材を備え、前記ベルト状部材は、その両端部に、該両端部が互いに重なり合うように係合されることにより環状とされる係合部を有し、
前記係合部は、互いの係合長を調整自在で、かつ所定の係合長で固定可能に構成されている、ことを特徴とする容器保持具。
【請求項２】
前記係合部は、互いに重ね合わされる内周面と外周面とに、当該周方向に交差する方向に延びる、互いに係合可能な第１および第２の凹凸条を有し、
一方の係合部は、下端または上端が繋がり上端または下端が開口した縦断面Ｕ字状の互いに対向する立壁を有し、前記立壁の対向面の少なくとも一方に前記第１の凹凸条が設けられており、
他方の係合部は、前記立壁の間に前記開口より挿入可能であり、前記第２の凹凸条が前記第１の凹凸条に対向して設けられている、ことを特徴とする請求項１に記載の容器保持具。
【請求項３】
前記取付部材は、
前記ホルダのベルト状部材と一体に、該ベルト状部材が成す周方向に直交する方向に延設された脚部と、
前記ベルト状部材とは別体にあって、前記脚部が着脱自在に固定され、かつ前記支持構造体に装着される装着部と、を備える、ことを特徴とする請求項１または請求項２に記載の容器保持具。
【請求項４】
前記ベルト状部材は、前記係合部の係合により環状とされたときに環状の上開口の口径が下開口の口径よりも大きくなるように構成されている、ことを特徴とする請求項１乃至請求項３のいずれか一項に記載の容器保持具。
【請求項５】
前記係合部は、互いに重ね合わされる内周面と外周面とに、当該周方向に交差する方向に延びる、互いに係合可能な第１および第２の凹凸条を有し、
前記ベルト状部材の外周に嵌め合わされ周方向に移動自在なリング状部材を備え、
前記リング状部材は、前記係合部の前記第１および第２の凹凸条が係合されている部分の外周に配置されることにより前記係合を維持する、ことを特徴とする請求項１に記載の容器保持具。
【発明の詳細な説明】
【技術分野】
【０００１】
本発明は、自転車等に用いられて飲料等の容器を保持する容器保持具に関する。
【背景技術】
【０００２】
従来、異なるサイズの缶飲料やコップを自転車に固定可能とする保持具が知られている（例えば、特許文献１参照）。この保持具は、缶容器やコップを入れる有底筒状の保持容器を備え、保持容器の側壁の一部に、湾曲弾性部材から構成され、弾性に抗して容器中心側に向けて押圧した際に湾曲し保持容器内の飲料缶等を固定する押圧力を発生する固定部を有する。保持具は、固定部の湾曲度合いが弾性によって可変であることにより、缶飲料やコップの異なるサイズに対応できる。
【０００３】
また、外径の異なる飲料容器を保持できる保持具として、飲料容器を保持する有底筒状の保持容器を弾性部材で成し、その保持容器に上部および底部から互いに行き違う複数の切欠部を備えて拡径変形自在としたものが知られている（例えば、特許文献２参照）。
【先行技術文献】
【特許文献】
【０００４】
【特許文献１】特開平９−３０３１３号公報
【特許文献２】特開２００４−３２３０５９号公報
【発明の概要】
【発明が解決しようとする課題】
【０００５】
しかしながら、上述した特許文献１や特許文献２に示されるような容器保持具は、異なるサイズの飲料容器を固定して保持するために、保持具からの弾性力を用いるものであり、容易に変形する柔らかいコップなどを適切な弾性力で保持させるのは難しい。また、柔らかいコップに適合させるように弾性部材によって保持容器を構成すると、大きな容器を多数回保持する使用によって弾性部材が劣化し、小さな容器を適切に保持できなくなると考えられる。
【０００６】
近年、コンビニエンスストアなどにおいて、入れ立てコーヒーなどをテイクアウト用の専用カップ容器によって販売することが盛んになっている。これらのカップ容器は、使い捨てとされる薄くて変形しやすい容器である。また、飲料品の違いや販売店の違いによって、容器の形状やサイズが異なる。
【０００７】
本発明は、上記課題を解消するものであって、簡単な構成により、異なるサイズや変形しやすい容器であっても、適切に保持することができる容器保持具を提供することを目的とする。
【課題を解決するための手段】
【０００８】
上記課題を達成するために、本発明の容器保持具は、容器を保持するホルダと、ホルダを支持構造体に取り付けるための取付部材とを備えた容器保持具において、ホルダは、可撓性を有する素材で成るベルト状部材を備え、ベルト状部材は、その両端部に、該両端部が互いに重なり合うように係合されることにより環状とされる係合部を有し、係合部は、互いの係合長を調整自在で、かつ所定の係合長で固定可能に構成されている、ことを特徴とする。
【発明の効果】
【０００９】
本発明の容器保持具によれば、環状開口の大きさを変更できるのでサイズの異なる容器に対応でき、また、ベルト状部材で容器を保持するので、重量に応じた抗力によって容器外周を一様な力で保持でき、変形しやすい容器であっても適切に保持することができる。
【図面の簡単な説明】
【００１０】
【図１】（ａ）は本発明の第１の実施形態に係る容器保持具の斜視図、（ｂ）は同保持具の使用例を示す斜視図。
【図２】同容器保持具の分解斜視図。
【図３】（ａ）は同容器保持具のベルト状部材を係合する前の状態の部分斜視図、（ｂ）は同ベルト状部材を係合させる途上の斜視図。
【図４】同容器保持具の取付部材の装着部の断面図。
【図５】同容器保持具の栓体をホルダに仮保持させた状態の断面図。
【図６】（ａ）〜（ｄ）は第２の実施形態に係る容器保持具において、ベルト状部材の係合前の状態から係合状態への時系列の手順を示す平面図。
【図７】（ａ）は同容器保持具の抜止部材の平面図、（ｂ）は（ａ）のＡ−Ａ線断面図。
【発明を実施するための形態】
【００１１】
（第１の実施形態）
以下、本発明の実施形態に係る容器保持具について、図面を参照して説明する。図１乃至図５は、第１の実施形態に係る容器保持具１を示す。図１（ａ）（ｂ）に示すように、容器保持具１は、容器９０を保持するホルダ２と、ホルダ２を支持構造体９に取り付けるための取付部材３と、を備えている。ホルダ２は、可撓性を有する素材で成るベルト状部材１０を備えている。ホルダ２は、例えば、樹脂材料により一体成形によって製造される。ベルト状部材１０は、その両端部が互いに重なり合うように係合されることにより環状とされて環状開口１ａを形成する係合部２０を有している。容器９０は、環状開口１ａに挿入されてホルダ２に保持される。容器保持具１は、容器９０の飲み口または注ぎ口である上部開口を塞ぐ栓体４を備えていてもよい。
【００１２】
図２に示すように、容器保持具１は、ホルダ２と、取付部材３を構成する装着部３２と、栓体４と、に分解組み立て自在である。容器保持具１が支持構造体９に取り付けられ使用される状態では、ベルト状部材１０は、その幅方向が上下方向にあり、周方向Ｃが平面に沿った状態となる。ベルト状部材１０は、係合部２０が係合された状態において、筒状となり、環状開口１ａを通る軸ＡＸに対して上方ほど形の拡がった内周面１０ａと外周面１０ｂとを有する。ベルト状部材１０は、その周方向Ｃの長さの中央部から、上面視で左回Ｌに左ベルト１０ｃが延び、右回Ｒに右ベルト１０ｄが延びている。左ベルト１０ｃの端部に第１の係合部２０ａを有し、右ベルト１０ｄの端部に第２の係合部２０ｂを有する。第１の係合部２０ａと第２の係合部２０ｂが、係合部２０を構成する。ベルト状部材１０は、全体として下方にいくほど環状の中心側に傾斜し、環状の上開口の口径が下開口の口径よりも大きくなっている。このベルト状部材１０の傾斜によるホルダ２の構造は、底部に向けて細くなる容器に対して、より広い接触面積を確保して、より安定に容器を保持可能とする。なお、ベルト状部材１０は、係合部２０の係合により環状とされたときに環状の上開口と下開口の口径を同じ大きさとなるようにしてもよい。
【００１３】
第１の係合部２０ａは、左ベルト１０ｃの端部側の部材から成る立壁１１と、この立壁１１から一定間隔で外方離間して立壁１１に対向する立壁１２と、これらの立壁１１，１２の下端を繋ぐ結合壁１３とを備えている。第１の係合部２０ａは、これらの壁構造により形成された、上端が開口Ｐした縦断面Ｕ字状の溝構造を有する。この溝構造は、周方向Ｃに沿う所定長に渡って形成され、周方向Ｃの両端にも開口を有する。外側の立壁１２の内周面に、周方向Ｃに直交する方向に延びる複数の凸条と各凸条の間の凹条とからなる第１の凹凸条２０ｃが設けられている。凸条間の間隔は一定とされている。
【００１４】
第２の係合部２０ｂは、右ベルト１０ｄの外周面１０ｂの端部側に、周方向Ｃに直交する方向に延びる複数の凸条と各凸条の間の凹条とからなり、第１の凹凸条２０ｃに係合可能な第２の凹凸条２０ｄを有する。第２の係合部２０ｂは、第１の係合部２０ａの立壁１１，１２の間に開口Ｐした上端より挿入可能とされている。第１の凹凸条２０ｃと第２の凹凸条２０ｄとが互いに係合することにより、ベルト状部材１０は容器を保持可能な環状となる。立壁１１，１２の隙間は、第２の係合部２０ｂが挿入可能な大きさであって、第１の凹凸条２０ｃと第２の凹凸条２０ｄとが係合された後は抜けにくい適度の大きさとされている。これにより、ベルト状部材１０による環状形状が安定に保たれる。
【００１５】
取付部材３は、ホルダ２側のベルト状部材１０に設けられた脚部３１と、ホルダ２とは別体の装着部３２と、を備えている。脚部３１は、その上部が、ホルダ２のベルト状部材１０の周方向Ｃの中央部の外面に一体に設けられている。
【００１６】
装着部３２は、脚部３１が着脱自在に固定される把持部３３と、把持部３３と一体に形成され支持構造体９に装着される固定部３４と、を有する。把持部３３は、上方から脚部３１が挿入される挿入空間３３ａを有する。装着部３２、すなわち、把持部３３および固定部３４は、例えば、樹脂材料により一体成形される。脚部３１は、挿入空間３３ａに挿入されることにより、把持部３３によって把持される。固定部３４は、左右方向に延びる溝構造を形成する側壁３４ａ，３４ｂ、および天井面３４ｃを有し、側壁３４ａは、把持部３３側に位置し、側壁３４ｂは側壁３４ａに対して傾動自在であり、傾動によって溝の開口を開閉して支持構造体９を進入可能とする。天井面３４ｃは、支持構造体９に当接する円弧状断面を有する。固定部３４は、固定部３４を支持構造体９に固定するためのねじ３５を有し、ねじ３５は、側壁３４ａ，３４ｂを互いに締結して固定部３４を支持構造体９に固定する。
【００１７】
支持構造体９は、例えば、自転車のハンドルの水平部分である。容器９０は、例えば、コンビニエンスストアにおいて販売されるテイクアウト用のコーヒー飲料が入った、上面に飲み口または注ぎ口があるカップである。このような飲料用カップ容器は、使い捨てとされる薄くて変形しやすい容器であり、上部に較べて下部が細い逆台形状の断面を有する。また、このような容器９０は、補強構造または上部に被せる別体の蓋を固定する構造として上部に拡径部を有し、拡径部は滑り止めとなる。容器９０は、ホルダ２のベルト状部材１０が形成する環状開口１ａに挿入され、ベルト状部材１０によって保持される。
【００１８】
栓体４は、容器９０の飲み口または注ぎ口である上部開口に挿入して塞ぐための栓本体４１と、栓本体４１をホルダ２に固定するための紐４２とを有している。栓体４は、例えば、シリコンゴムによって一体成形される。栓本体４１は、本実施形態では、上部よりも下部が細い四角逆台形状を有し、底壁と４つの側壁とは、変形容易に薄壁で構成された容器形状を有するものを示しているが、容器９０の上部開口に応じて任意の形状として構わない。紐４２は、変形自在であって、栓本体４１を容器９０の上部に任意姿勢で配置可能とする。紐４２は、栓体４をホルダ２に固定するため、係合孔４２ａと、仮係合孔４２ｂとを有する。係合孔４２ａと仮係合孔４２ｂは、弾力を有する材料に形成された孔である。
【００１９】
栓体４は、ベルト状部材１０に設けられた突起４０によりホルダ２に固定される。突起４０は、ベルト状部材１０に立設された軸４０ａに、２個の拡径部４０ｂ、拡径部４０ｃを有し、紐４２の係合孔４２ａが突起４０の軸４０ａの根元に外挿され抜け止めされる。拡径部４０ｃは、仮係合孔４２ｂが拡径部４０ｂの上部まで軸４０ａに外挿されたとき、仮係合孔４２ｂの抜け止めとなる。栓体４は、オプション的に備えられるものであり、栓体４を備えなくてもよく、また、突起４０が設けられなくてもよい。
【００２０】
図３（ａ）（ｂ）は、係合部２０を係合させる動作、すなわち、第２の係合部２０ｂの凸条を第１の係合部２０ａの凹条に係合される様子を示す。ここに示す係合状態は、環状開口１ａが最大となる状態であり、右ベルト１０ｄと左ベルト１０ｃとの重なりの係合長が最小の状態である。係合長が最大の状態は、第２の係合部２０ｂの全ての凸条が第１の係合部２０ａの全ての凹条を通り越して行き違いに係合し、環状開口１ａが最小となる状態である。係合部２０は、第１の係合部２０ａと第２の係合部２０ｂとの周方向Ｃにおける互いの相対位置が調整されることにより、係合長が調整される。
【００２１】
図４は、装着部３２を支持構造体９に着脱する動作を示す。装着部３２の固定部３４は、側壁３４ｂにねじ挿通孔３５ａを有し、側壁３４ａにねじ孔３５ｂを有し、天井面３４ｃに固定部３４と支持構造体９とを密着させるライナ３６を有する。側壁３４ａを開いて溝構造の内部に支持構造体９を進入させ、ねじ挿通孔３５ａに挿通したねじ３５をねじ孔３５ｂに螺合させることにより、装着部３２は支持構造体９に固定される。
【００２２】
図５は、環状とされたホルダ２に、栓体４が仮保持されている状態を示す。栓体４は、紐４２をコンパクトに折り曲げた状態で拡径部４０ｂ，４０ｃによって突起４０に保持されている。栓本体４１の使用時には、栓本体４１を上に引き上げて拡径部４０ｃによる仮保持が解除され、紐４２の端部が拡径部４０ｂに保持された状態で用いられる。ホルダ２は、脚部３１とベルト状部材１０との間に、両者を繋ぐ複数のリブ３１ａを備えている。リブ３１ａは、ホルダ２を補強する部材であり、ホルダ２が容器９０を保持したときの重みで下がるのを防止する。
【００２３】
本実施形態の容器保持具１において、第１の係合部２０ａの立壁１２を立壁１１の外方ではなく内方に備えてもよく、第１の凹凸条２０ｃを立壁１１，１２の対向面のいずれに設けてもよい。第２の凹凸条２０ｄは、第１の凹凸条２０ｃに係合できるように、右ベルト１０ｄの外周面１０ｂまたは内周面１０ａのいずれかに設けられればよい。また、第１の凹凸条２０ｃを立壁１１，１２の対向面の両面に設けてもよく、この場合、第２の凹凸条２０ｄは、両方の第１の凹凸条２０ｃに係合できるように、右ベルト１０ｄの外周面１０ｂと内周面１０ａの両面に設けられればよい。第１の係合部２０ａは、左ベルト１０ｃの端部に備えることに替えて、右ベルト１０ｄの端部に備えて、第２の係合部２０ｂを、左ベルト１０ｃの端部に備えるようにしてもよい。
【００２４】
立壁１１，１２の下端を繋ぐ結合壁１３は、下端ではなく上端を繋ぐ結合壁としてもよい。第１の係合部２０ａの溝構造は、周方向Ｃの両端に開口を有することに替えて、端部側のみに開口を有するようにすれば、溝構造の強度を高めることができる。第１の凹凸条２０ｃと第２の凹凸条２０ｄにおける凸条の幅は、凹条の幅と同じか狭ければよい。第２の凹凸条２０ｄにおける凸条は、少なくとも１つあればよい。
【００２５】
第１の係合部２０ａと第２の係合部２０ｂとは、ベルト状部材１０において、第１の係合部２０ａを脚部３１の位置により近づけ、第２の係合部２０ｂを脚部３１の位置からより離して備えるように非対称的に構成してもよい。この場合、第１の係合部２０ａ側の機械的強度を高められる上に第２の係合部２０ｂ側の可撓性が得られるので、ホルダ２の強度を確保して係合を容易とすることができる。
【００２６】
第１の凹凸条２０ｃと第２の凹凸条２０ｄとは、周方向Ｃに直交する方向に延びる凸条と凹条に替えて、周方向Ｃに対して傾斜して交差する方向に延びる凸条と凹条としてもよい。この場合、傾斜の方向は、第１の係合部２０ａと第２の係合部２０ｂとが係合された状態で環状のベルト状部材１０に加わる重さによって、係合が食い込む方向とする。
【００２７】
上述した本実施形態の容器保持具１によれば、係合部２０の係合長を調整して環状開口の大きさを変更できるので、サイズの異なる容器に対応できる。また、ベルト状部材１０によって容器９０を保持するので、容器重量に応じた抗力によって容器外周を一様な力で適切に保持でき、変形しやすい容器であっても安定に保持できる。
【００２８】
（第２の実施形態）
図６、図７は、第２の実施形態に係る容器保持具１を示す。本実施形態の容器保持具１は、第１の実施形態の容器保持具１とは、第１の係合部２０ａの構成が異なり、また、係合部２０の外周に配置されて係合を維持するリング状部材５を備える点が異なる。リング状部材５は、矩形管をその軸に沿って湾曲させた円弧片形状を有し、ベルト状部材１０に外挿される。
【００２９】
リング状部材５は、ベルト状部材１０の外周に嵌め合わされ周方向Ｃに移動自在である。周方向Ｃはトロイドすなわちドーナツ形状の大円周方向（トロイダル方向）であり、リング状部材５が嵌め合わされるベルト状部材の外周は小円周方向（ポロイダル方向）である。係合状態のベルト状部材１０とベルト状部材１０の外周に嵌め合わされたリング状部材５とは、２つの閉曲線が互いに絡み合った鎖交状態となる。
【００３０】
本実施形態の第１の係合部２０ａは、左ベルト１０ｃの端部の内周面に複数の凸条と各凸条の間の凹条とからなる第１の凹凸条２０ｃを有している。第２の係合部２０ｂは、右ベルト１０ｄの端部の外周面に複数の凸条と各凸条の間の凹条とからなる第２の凹凸条２０ｄを有している。
【００３１】
第１の係合部２０ａと第２の係合部２０ｂとは、第１の凹凸条２０ｃと第２の係合部２０ａとを、周方向Ｃにおける任意の位置で対向させて内方と外方から接近させることにより係合される。また、係合は、適切な位置に配置した第１の係合部２０ａと第２の係合部２０ｂとを、凸条が延びる方向から近づけても行える。係合した第１の係合部２０ａと第２の係合部２０ｂとは、周方向Ｃに沿う相対移動が互いの凸条の干渉で阻止される。係合の解除は、係合できる手順とは逆の手順で行える。リング状部材５は、係合解除を禁止するため、周方向Ｃに移動され、係合した係合部２０の外周に配置される。
【００３２】
なお、本発明は、上記構成に限られることなく種々の変形が可能である。例えば、上述した各実施形態の構成を互いに組み合わせた構成とすることができる。例えば、第２の実施形態におけるリング状部材５を、第１の実施形態の容器保持具１に備え、互いに係合状態にある係合部２０の外周に配置して係合状態を維持するようにしてもよい。また、第２の実施形態において、第１の係合部２０ａと第２の係合部２０ｂとを係合させるときに、凸条方向における重ね合わせ位置を規定するストッパとして、各凹条の一端に、凸条の突出を阻止する壁部を設けてもよい。また、容器保持具１は、支持構造体９としての自転車のハンドルの水平部分などに取り付ける構成に限られず、手押し車、自動車などの移動体や、冷蔵庫などの非移動体などの支持構造体に取り付けてもよい。
【符号の説明】
【００３３】
１    容器保持具
１０ａ    内周面
１０ｂ    外周面
１１    立壁
１２    立壁
１３    結合壁
２    ホルダ
２０    係合部
２０ａ    第１の係合部（一方の係合部）
２０ｂ    第２の係合部（他方の係合部）
２０ｃ    第１の凹凸条
２０ｄ    第２の凹凸条
３    取付部材
３１    脚部
３２    装着部
３３    把持部
３４    固定部
４    栓体
５    リング状部材
９    支持構造体
９０    容器
Ｃ    周方向
Ｐ    立壁間の開口
【図１】
2019085036.tif 000003
【図２】
2019085036.tif 000004
【図３】
2019085036.tif 000005
【図４】
2019085036.tif 000006
【図５】
2019085036.tif 000007
【図６】
2019085036.tif 000008
【図７】
2019085036.tif 000009